【手続補正書】
【提出日】令和3年2月22日(2021.2.22)
【手続補正１】
【補正対象書類名】明細書
【補正対象項目名】００１１
【補正方法】変更
【補正の内容】
【００１１】
地上端末１１０は、様々なスポットビーム１３０を介して衛星１０５との通信を可能にする機器を含むことができ、少なくとも１つのスポットビーム１３０のカバレッジ領域１２０内に位置することができる。各地上端末１１０は、特定のスポットビーム１３０を割り当てられることができ、その割り当てられたスポットビーム１３０を介する通信のために構成され得る機器（例えば、アンテナ、トランシーバ、等）を含むことができる。各地上端末１１０の機器は、また、再割り当てメッセージに応じて、以前に割り当てられたスポットビーム１３０とは異なるビーム特性（例えば、搬送波周波数、偏波、等）を有することができる新規に割り当てられるスポットビーム１３０との通信のために自動的に再構成することもできる。地上端末１１０の機器を構成及び再構成することは、割り当てられたスポットビーム１３０を介して変調データを送信し、受信するために、機器の１つ以上の通信設定を更新することを含むことができる。通信設定は、例えば、特定の搬送波周波数、特定の偏波配向、特定のパケット情報（例えば、プリアンブル、ポストアンブル、ミッドアンブル、又はその他の適切な方法で実装）、特定の変調、及び／又はコード体系、等のうちの１つ以上であってもよい。通常、衛星１０５は多数のスポットビーム１３０を用いて地球の広い地理的領域を照射することができ、衛星１０５は、静止軌道を維持することによって地球に対して一貫した位置（例えば、軌道スロット）を維持することができる。衛星１０５の位置が厳密に維持され得るとしても、スポットビーム１３０指向誤差は、衛星の姿勢、反射器の歪み、温度勾配、スラスタ発射、及び他の衛星操縦等の要因における僅かな変動に起因する可能性がある。
【手続補正２】
【補正対象書類名】特許請求の範囲
【補正対象項目名】全文
【補正方法】変更
【補正の内容】
【特許請求の範囲】
【請求項１】
静止衛星通信ネットワークにおける動的ビーム割り当てのための方法であって、
静止衛星の複数のスポットビームによって照射される複数のカバレッジ領域内の複数の位置において信号品質を示すリンク測定データを受信することと、
前記リンク測定データに従って、前記静止衛星の前記複数のスポットビームのうちの１つのスポットビームによって照射される前記複数のカバレッジ領域のうちの１つのカバレッジ領域の現在のドリフトを示すビームドリフトトリガを検出することと、
前記現在のドリフトから信号品質低下を受けているとして地上端末のセットを識別することと、
前記ビームドリフトトリガを検出することに応じて地上処理ノードにおいて、現在割り当てられているそれぞれのスポットビームから前記複数のスポットビームのうちの再割り当てされるそれぞれのスポットビームへ前記地上端末のセットのそれぞれを再割り当てすることによって、前記信号品質低下を少なくとも部分的に打ち消すビーム割り当てマップに対する更新を計算することと、
を含むことを特徴とする方法。
【請求項２】
請求項１に記載の方法において、前記識別することは、更に、前記ビーム割り当てマップに従って前記複数のスポットビームのうちの前記スポットビームに現在割り当てられているとして前記地上端末のセットを識別することを含むことを特徴とする方法。
【請求項３】
請求項１に記載の方法において、前記識別することは、更に、前記地上端末のセットのそれぞれに関連付けられる地理位置情報データに従って前記地上端末のセットを識別することを含むことを特徴とする方法。
【請求項４】
請求項１乃至３の何れか１項に記載の方法において、
前記受信することは、第１の時間において第１のリンク測定データを受信することと、前記第１の時間の後の第２の時間において第２のリンク測定データを受信することとを含み、
前記検出することは、前記第１のリンク測定データに従って前記第１の時間に前記カバレッジ領域の第１の位置を計算することと、前記第２のリンク測定データに従って前記第２の時間に前記カバレッジ領域の第２の位置を計算することと、前記第１の位置と前記第２の位置との間のドリフトの閾量を少なくとも計算することとを含む、
ことを特徴とする方法。
【請求項５】
請求項１乃至３の何れか１項に記載の方法において、
前記受信することは、
少なくとも前記カバレッジ領域にわたって地理的に分散する複数の地上端末から第１の時間に第１のリンク測定データを受信することと、
前記第１の時間の後の第２の時間に前記複数の地上端末から第２のリンク測定データを受信することを含み、
前記検出することは、前記第２のリンク測定データを前記第１のリンク測定データと比較して、前記複数の地上端末の少なくとも幾つかのためのサービス品質の変化の大きさを特定することによって、前記カバレッジ領域のドリフトをモデル化することを含み、
前記識別することは、前記特定されたサービス品質の変化の大きさがサービス品質の少なくとも所定の閾低下を示す前記複数の地上端末の少なくともいくつかを備えるよう前記地上端末のセットを識別することを含む、
ことを特徴とする方法。
【請求項６】
請求項１乃至３の何れか１項に記載の方法において、
前記計算することは、前記地上端末のセットのそれぞれについて、前記再割り当てされたそれぞれのスポットビームが前記受信したリンク測定データに従って前記現在割り当てられているそれぞれのスポットビームよりも高いスペクトル効率を提供するよう特定されるように、前記再割り当てされたそれぞれのスポットビームに前記地上端末を割り当てることを含む、
ことを特徴とする方法。
【請求項７】
請求項１乃至３の何れか１項に記載の方法において、
前記計算することは、ビームロードバランシング方式に関して前記スポットビームのセットの現在のローディングを特定することを含み、
前記計算することは、現在のローディングに従って前記ビームロードバランシング方式に従って更に前記ビーム割り当てマップを更新する、
ことを特徴とする方法。
【請求項８】
請求項１乃至３の何れか１項に記載の方法において、更に、
前記静止衛星を介して、前記更新されたビーム割り当てマップに従ってそれらの通信設定を更新するよう前記地上端末のセットに指示する再割り当てメッセージを通信すること、
を含むことを特徴とする方法。
【請求項９】
請求項８に記載の方法において、前記再割り当てメッセージを通信することは、前記再割り当てメッセージを少なくとも前記地上端末のセットにマルチキャストすることを含み、前記再割り当てメッセージは、前記地上端末のセットのそれぞれについて、前記搬送波周波数、偏波方向、又は前記静止衛星と通信するために前記地上端末によって用いられるビームグループ識別子の少なくとも１つに対するそれぞれの更新を示すことを特徴とする方法。
【請求項１０】
請求項８に記載の方法において、前記再割り当てメッセージは、前記静止衛星とのステートフル接続性を維持しながら、前記更新されたビーム割り当てマップに従ってそれらの通信設定を更新するように前記地上端末のセットに指示することを特徴とする方法。
【請求項１１】
請求項１０に記載の方法において、前記地上端末のセットのそれぞれは、ビーム非依存型であるネットワーク識別子に関連付けられ、前記静止衛星とのステートフル接続性を維持することが、その通信設定が更新される場合、そのネットワーク識別子との前記地上端末のセットのそれぞれの関連付けを維持することを含むことを特徴とする方法。
【請求項１２】
請求項１乃至３の何れか１項に記載の方法において、
前記ビームドリフトトリガは、前記静止衛星の複数の反射器の１つに関連する現在のドリフトを示し、前記複数の反射器のそれぞれは、前記静止衛星の前記複数のスポットビームのそれぞれの部分に焦点を合わせる、
ことを特徴とする方法。
【請求項１３】
請求項１乃至３の何れか１項に記載の方法において、前記地上端末のセットは少なくとも１つのユーザ端末を含むことを特徴とする方法。
【請求項１４】
請求項１乃至３の何れか１項に記載の方法において、前記地上端末のセットは少なくとも１つのゲートウェイ端末を含むことを特徴とする方法。
【請求項１５】
静止衛星通信ネットワークにおける動的ビーム割り当てのためのシステムであって、
それに格納されるビーム割り当てマップを有するデータストアと、
ビーム追跡構造であって、
リンク測定データ入力と、
前記リンク測定データ入力が静止衛星の複数のスポットビームのうちの１つのスポットビームによって照射されるカバレッジ領域の現在のドリフトを示す場合、ビームドリフトトリガを備えるトリガ信号出力と、を有するビーム追跡構造と、
端末割り当て構造であって、
前記トリガ信号出力に結合されるトリガ信号入力と、
前記現在のドリフトに起因する識別された地上端末のセットの信号品質低下を少なくとも部分的に打ち消すよう、前記トリガ信号入力に応じて、計算された前記ビーム割り当てマップに対する更新に従って、複数のビーム割り当て変更メッセージを備える割り当て信号出力であって、前記ビーム割り当て変更メッセージは、現在割り当てられたそれぞれのスポットビームから前記複数のスポットビームの再割り当てされたそれぞれのスポットビームへの前記地上端末のセットのそれぞれのビーム再割り当てを示す割り当て信号出力と、を有する端末割り当て構造と、
を備えることを特徴とするシステム。
【請求項１６】
請求項１５に記載のシステムにおいて、更に、
前記ビーム追跡構造及び前記端末割り当て構造と結合され、地上ネットワークを介して前記静止衛星と通信可能に結合可能なネットワークデータ入力及びネットワークデータ出力を有する通信インターフェース構造を備え、
前記ネットワークデータ出力は、リンク測定データを前記リンク測定データ入力に通信する前記ネットワークデータ入力に応じて前記割り当て信号出力を備えることを特徴とするシステム。
【請求項１７】
請求項１６に記載のシステムにおいて、前記通信インターフェース構造は、
前記ビーム割り当て変更メッセージに従って前記ビーム再割り当てを実施する場合、前記地上端末のセットのそれぞれと前記静止衛星との間のステートフル接続性を保全するために、前記地上端末のセットのそれぞれに関連付けられるビーム非依存型ネットワーク識別子を維持するよう動作するネットワークサーバを備えることを特徴とするシステム。
【請求項１８】
請求項１５に記載のシステムにおいて、前記端末割り当て構造は、更に、
格納されたビームロードバランシング方式を備え、前記ビームロードバランシング方式に関して前記スポットビームのセットの現在の負荷を維持するビームローディングモニタを備え、
前記ビーム割り当てマップは、前記現在のローディングに従って前記ビームロードバランシング方式に従って更に計算されることを特徴とするシステム。
【請求項１９】
請求項１５乃至１８の何れか１項に記載のシステムにおいて、
前記トリガ信号出力は、第１の時間におけるリンク測定データ入力に従って計算される前記カバレッジ領域の第１の位置と第２の時間におけるリンク測定データ入力に従って計算される前記カバレッジ領域の第２の位置との間の差が、前記第１の位置と前記第２の位置との間のドリフトの閾量を少なくとも示す場合、前記ビームドリフトトリガを備えることを特徴とするシステム。
【請求項２０】
請求項１５乃至１８の何れか１項に記載のシステムにおいて、更に、
少なくとも前記地上端末のセットのそれぞれのための地理位置情報データをそれに格納する地上端末データストアを備えることを特徴とするシステム。
【請求項２１】
請求項１５乃至１８の何れか１項に記載のシステムにおいて、更に、
前記静止衛星を備えることを特徴とするシステム。
【請求項２２】
請求項２１に記載のシステムにおいて、更に、
前記静止衛星と通信する複数の衛星アクセス地上端末と、
地上ネットワークを介して前記複数の衛星アクセス地上端末に結合される地上処理ノード構造であって、前記ビーム追跡構造及び前記端末割り当て構造を備える地上処理ノード構造と、
を備えることを特徴とするシステム。
【請求項２３】
請求項２１に記載のシステムにおいて、
前記静止衛星は複数の反射器を備え、それぞれは前記静止衛星の前記複数のスポットビームのそれぞれの部分に焦点を合わせ、
前記トリガ信号出力は、前記複数の反射器のそれぞれの独立した位置追跡に従って生成される、
ことを特徴とするシステム。
【請求項２４】
請求項１５乃至１８の何れか１項に記載のシステムにおいて、前記地上端末のセットは少なくとも１つのユーザ端末を含むことを特徴とするシステム。
【請求項２５】
請求項１５乃至１８の何れか１項に記載のシステムにおいて、前記地上端末のセットは少なくとも１つのゲートウェイ端末を含むことを特徴とするシステム。
【請求項２６】
静止衛星通信ネットワークにおける動的ビーム割り当てのためのプロセッサであって、前記プロセッサはそれに格納されるビーム割り当てマップを有するメモリと結合され、
静止衛星の複数のスポットビームにわたる複数の位置における信号強度を特徴付けるリンク測定データを受信するための命令と、
前記リンク測定データに従ってビームドリフトトリガを検出するための命令であって、前記ビームドリフトトリガは、前記複数のスポットビームのうちの少なくとも１つのスポットビームによって照射されるカバレッジ領域の現在のドリフトを示す、命令と、
前記現在のドリフトから信号品質低下を受けているとして地上端子のセットを識別するための命令と、
前記ビームドリフトトリガを検出することに応じて、現在割り当てられているそれぞれのスポットビームから前記複数のスポットビームのうちの再割り当てされるそれぞれのスポットビームへ前記地上端末のセットのそれぞれを再割り当てすることによって、前記信号品質低下を少なくとも部分的に打ち消す前記ビーム割り当てマップに対する更新を計算するための命令と、
を備えることを特徴とするプロセッサ。
【請求項２７】
内部に配設される請求項２６に記載のプロセッサを有する前記静止衛星通信ネットワークの地上処理ノード。